【手続補正書】
【提出日】平成29年3月13日(2017.3.13)
【手続補正１】
【補正対象書類名】特許請求の範囲
【補正対象項目名】全文
【補正方法】変更
【補正の内容】
【特許請求の範囲】
【請求項１】
生物からの浸出物を内部に吸収および保持するために前記生物によって着用される製品に用いるための吸収性アセンブリであって、前記吸収性アセンブリは、第１部分および第２部分を有するコアを備えており、前記第１部分は、その中を流体が移動できるように構成された材料から形成されており、前記第１部分の材料は、キルティング加工されるとともに、前記第１部分のポケットの各々に配置された複数の遅効性だが高吸収容量の高吸水性ポリマー（ＳＡＰ）を含有しており、これにより前記キルティング加工された第１部分のポケットが、前記第１部分のＳＡＰを前記コアに対して移動しないようにし、前記第２部分は、その中を流体が移動できるように構成された材料から形成されており、前記第２部分の材料は、キルティング加工されるとともに、前記第２部分のポケットの各々に配置された複数の速効性だが低吸収容量のＳＡＰを含有しており、これにより前記キルティング加工された第２部分のポケットが、前記第２部分のＳＡＰを前記コアに対して移動しないようにし、前記コアの第１部分と前記コアの第２部分とは互いに流体が流れるように連通しており、前記吸収性アセンブリは生物によって着用されるように構成されており、前記コアの第１部分は前記生物の会陰領域に向かい合って配置される身体に面する側面を形成し、かつ、前記コアの第２部分は前記生物の会陰領域から離反して配置される遠隔側面を形成しており、これにより前記生物によって排泄される流体は前記速効性ＳＡＰおよび前記遅効性ＳＡＰに流れ、前記流体は前記速効性ＳＡＰによって直ちに迅速に吸収され、一方、前記遅効性ＳＡＰは、前記流体自体を吸収するとともに、前記速効性ＳＡＰから流体を脱着するか、または奪い去る、吸収性アセンブリ。
【請求項２】
前記キルティング加工された第１部分は、前記速効性ＳＡＰが配置された複数のポケットを有している、請求項１に記載の吸収性アセンブリ。
【請求項３】
前記キルティング加工された第２部分は、前記遅効性ＳＡＰが配置された複数のポケットを有している、請求項１または２に記載の吸収性アセンブリ。
【請求項４】
前記コアのキルティング加工された第１部分の材料は不織布材料を含み、前記コアのキルティング加工された第２部分の材料は不織布材料を含んでいる、請求項１に記載の吸収性アセンブリ。
【請求項５】
前記コアのキルティング加工された第１部分および第２部分は、超音波エンボス加工されている、請求項１または４に記載の吸収性アセンブリ。
【請求項６】
前記コアは、前記キルティング加工された第１部分と前記キルティング加工された第２部分との間に配置された不織布からなる中間層をさらに有しており、前記コアのキルティング加工された第１部分および第２部分は、前記不織布からなる中間層を介して互いに連通している、請求項４に記載の吸収性アセンブリ。
【請求項７】
前記キルティング加工された第１部分の不織布材料は、スパンボンドポリプロピレンから形成されており、前記キルティング加工された第２部分の不織布材料は、スパンボンドポリプロピレンから形成されている、請求項４または６に記載の吸収性アセンブリ。
【請求項８】
前記コアは高吸水性繊維（ＳＡＦ）をさらに含んでいる、請求項１に記載の吸収性アセンブリ。
【請求項９】
前記コアのまわりに配置された非吸収性流体透過性包装体をさらに備えている、請求項１に記載の吸収性アセンブリ。
【請求項１０】
前記包装体は熱可塑性繊維網を含んでいる、請求項９に記載の吸収性アセンブリ。
【請求項１１】
前記熱可塑性繊維網はスパンボンドポリプロピレン不織布材料を含んでいる、請求項１０に記載の吸収性アセンブリ。
【請求項１２】
前記包装体は、前記身体に面する側面において２倍の厚さの層を提供するように重ね合わせられている、請求項９に記載の吸収性アセンブリ。
【請求項１３】
そのまわりに前記包装体を有するコアは複数の個別のポケットにキルティング加工され、前記ポケットの各々は前記コアを通るＳＡＰ移動を最小限にするか、または防止するように機能する、請求項９に記載の吸収性アセンブリ。
【請求項１４】
前記キルティング加工された包装体は、複数の接合線によって形成されており、前記接合線の接合強度は、ＳＡＰが流体を吸収する前にＳＡＰが各々のポケットからの退出を得ることを保証するのに十分に強いが、ＳＡＰが流体を吸収し膨潤したときには破断するほど十分に弱い、請求項１３に記載の吸収性アセンブリ。
【請求項１５】
前記吸収性アセンブリが使い捨て下着の一部を形成している、請求項１に記載の吸収性アセンブリ。
【請求項１６】
流体収集層をさらに備えている、請求項１５に記載の吸収性アセンブリ。
【請求項１７】
前記流体収集層は前記コアの身体側の上に配置されている、請求項１６に記載の吸収性アセンブリ。
【請求項１８】
前記包装体の下に配置された流体収集層をさらに備えている、請求項９に記載の吸収性アセンブリ。
【請求項１９】
前記速効性ＳＡＰと前記遅効性ＳＡＰとの間に挟まれた流体収集層をさらに備えている、請求項９に記載の吸収性アセンブリ。
【請求項２０】
前記コアの遠隔側面に吸収性流体処理層をさらに備えている、請求項１５に記載の吸収性アセンブリ。
【請求項２１】
前記コアの遠隔側面に吸収性流体処理層をさらに備えている、請求項１６に記載の吸収性アセンブリ。
【請求項２２】
前記吸収性流体処理層は、吸収性ティシュー、エアレイド、または軟質化されたか、もしくは軟化された非繊維化パルプシートを備えている、請求項２１に記載の吸収性アセンブリ。
【請求項２３】
包装された前記コアは、複数の山および谷を有する波形体または他の場合には波状体に形成されている、請求項１５に記載の吸収性アセンブリ。
【請求項２４】
前記吸収性アセンブリは、前記谷において前記使い捨て下着に固定されている、請求項２３に記載の吸収性アセンブリ。
【請求項２５】
前記下着は、前記アセンブリ中に捕捉された任意の流体の臭気を低減するか、またはそのような臭気を隠蔽するためのマイクロカプセル化粒子を含んでいる、請求項１５に記載の吸収性アセンブリ。
【請求項２６】
前記マイクロカプセル化粒子は望ましい香料を含有している、請求項２５に記載の吸収性アセンブリ。
【請求項２７】
前記香料のすべてが前記吸収性アセンブリによる初期の流体吸収の際には放出されないが、後続の流体吸収の際には放出されるように、前記マイクロカプセル化粒子は少なくとも２レベルのカプセル化を有している、請求項２６に記載の吸収性アセンブリ。
【請求項２８】
前記下着は抗微生物処理剤を含有している、請求項１５に記載の吸収性アセンブリ。
【請求項２９】
前記抗微生物処理剤は銀元素または銀複合体を含有している、請求項２８に記載の吸収性アセンブリ。
【請求項３０】
前記使い捨て下着は、前記吸収性アセンブリが着用者からの流体を吸収した時を示す濡れ検知器を備えている、請求項１５に記載の吸収性アセンブリ。
【請求項３１】
前記濡れ検知器は電子濡れ検出システムの一部を構成している、請求項３０に記載の吸収性アセンブリ。
【請求項３２】
生物からの浸出物を内部に吸収および保持するために前記生物によって着用される製品に用いるための吸収性アセンブリであって、前記吸収性アセンブリは、第１部分および第２部分を有するコアを備えており、前記第１部分は、その中を流体が移動できるように構成された不織布材料から形成されており、前記第１部分の不織布材料は、キルティング加工されるとともに、前記第１部分のポケットの各々に配置された複数の遅効性だが高吸収容量の高吸水性ポリマー（ＳＡＰ）を含有しており、これにより前記キルティング加工された第１部分のポケットが、前記第１部分のＳＡＰを前記コアに対して移動しないようにし、前記第２部分は、その中を流体が移動できるように構成された不織布材料から形成されており、前記第２部分の不織布材料は、キルティング加工されるとともに、前記第２部分のポケットの各々に配置された複数の速効性だが低吸収容量のＳＡＰを含有しており、これにより前記キルティング加工された第２部分のポケットが、前記第２部分のＳＡＰを前記コアに対して移動しないようにし、前記コアの第１部分と前記コアの第２部分とは互いに流体が流れるように連通しており、前記吸収性アセンブリは生物によって着用されるように構成されており、前記コアの第１部分は前記生物の会陰領域に向かい合って配置される身体に面する側面を形成し、かつ、前記コアの第２部分は前記生物の会陰領域から離反して配置される遠隔側面を形成しており、これにより前記生物によって排泄される流体は前記速効性ＳＡＰおよび前記遅効性ＳＡＰに流れ、前記流体は前記速効性ＳＡＰによって直ちに迅速に吸収され、一方、前記遅効性ＳＡＰは、前記流体自体を吸収するとともに、前記速効性ＳＡＰから流体を脱着するか、または奪い去り、前記キルティング加工された第１部分の不織布材料は複数の繊維から形成されており、前記キルティング加工された第２部分の不織布材料は複数の繊維から形成されており、前記繊維は、それにより流体の流れに対する繊維の抵抗を増大させるために、円形または楕円形の繊維に比較して増大した表面積を有する断面形状を有しており、それによって半径方向の流体の吸い上げを遅延させ、かつ、長手方向における流体の吸い上げを促進する、吸収性アセンブリ。
【請求項３３】
シャーシ、吸収コアおよびサスペンションシステムを備えた使い捨て吸収性下着であって、前記シャーシは布状の不織通気性材料のシートを含んでおり、前記シートは、前部、後部、および中間部を有しており、前記前部は、前上縁部と、一対の前側縁部とを含んでおり、前記後部は、後上縁部と、一対の後側縁部とを含んでおり、前記中間部は一対の中央側縁部を含んでおり、前記中央側縁部の各々は、ブリーフの各脚開口部を形成するために人間工学的に賦形された凹部を備えており、前記吸収コアは前記中間部において前記シート上に位置しており、前記サスペンションシステムは複数の弾性部を備えており、前記弾性部の各々は、頂端部と、前記頂端部のほぼ反対に配置された末端部とを備えており、前記末端部の幅は前記頂端部の幅より実質的に大きく、前記弾性部は前記頂端部と前記末端部との間で伸縮可能であり、前記弾性部が引き伸ばされるときの伸縮力は頂端部において集中して、前記末端部の幅に沿って広がり、前記弾性部の第１部分は前記シートに固定されており、前記第１部分の頂端部は前記シートの第１側縁部の凹部に位置しており、前記第１部分の末端部は前記第１側縁部に隣接した前記シートの前上縁部において終了し、前記弾性部の第２部分は前記シートに固定されており、前記第２部分の頂端部は前記シートの第２側縁部の凹部に位置しており、前記第２部分の末端部は前記第２側縁部に隣接した前記シートの前上縁部において終了し、前記弾性部の第３部分は前記シートに固定されており、前記第３部分の頂端部は前記シートの第１側縁部の凹部に位置しており、前記第３部分の末端部は前記第１側縁部に隣接した前記シートの後上縁部において終了し、前記弾性部の第４部分は前記シートに固定されており、前記第４部分の頂端部は前記シートの第２側縁部の前記凹部に位置しており、前記第４部分の末端部分は前記第２側縁部に隣接した前記シートの後上縁部において終了し、前記弾性部の各々は扇形配列に配置された複数の弾性繊維を含んでおり、前記繊維は前記頂端部から前記末端部に向かって互いから分岐しており、これにより前記サスペンションシステムは、前記下着が着用されるときに、前記シャーシを前記脚開口部から前記上端部に向かって引き上げる、使い捨て吸収性下着。
【請求項３４】
前記吸収コアは繊維間に多数の介在空間を有する複数の繊維を含んでおり、前記コアは第１部分および第２部分を有しており、前記第１部分は、前記コアの第１部分の介在空間と流体が流れるように連通する遅効性だが高吸収容量のＳＡＰを含有しており、前記第２部分は、前記コアの第２部分の介在空間と流体が流れるように連通する複数の速効性だが低吸収容量のＳＡＰを含有しており、前記第１部分は前記第２部分と流体が流れるように連通しており、前記コアの第１部分は身体に面する側面を形成しており、前記コアの第２部分は前記シートに固定されており、これにより前記生物によって排泄された流体は前記速効性ＳＡＰおよび前記遅効性ＳＡＰに吸い上げられ、前記流体は、前記速効性ＳＡＰによって直ちに迅速に吸収され、一方、前記遅効性ＳＡＰは前記速効性ＳＡＰから流体を脱着するか、または奪い去る、請求項３３に記載の使い捨て吸収性下着。
【手続補正２】
【補正対象書類名】明細書
【補正対象項目名】発明の名称
【補正方法】変更
【補正の内容】
【発明の名称】吸収性アセンブリおよび使い捨て吸収性下着